(57)【要約】【課題】携帯性及び機能性が高められ消費電力が低減された筆記入力装置を提供する。【解決手段】積重した媒体に筆記された文字に対応してデータを生成する筆記入力装置であって、前記媒体が載置され少なくとも二点の高さが異なるステージと、前記ステージの最下点を通る第一の水平面及び前記ステージの最上点を通る第二の水平面に交わる面内において前記第一及び第二の水平面に挟まれた部分からなり、かつ、前記ステージに隣接して設けられた受光面を有し、前記受光面に供給された前記媒体からの反射光に応じて筆記の対象とする前記媒体を識別する識別手段とを備えたことを特徴とする筆記入力装置を提供すること。【選択図】図１１
2007183987.tif 000002
【特許請求の範囲】
【請求項１】
積重した媒体に筆記された文字に対応してデータを生成する筆記入力装置であって、
前記媒体が載置され少なくとも二点の高さが異なるステージと、
前記ステージの最下点を通る第一の水平面及び前記ステージの最上点を通る第二の水平面に交わる面内において前記第一及び第二の水平面に挟まれた部分からなり、かつ、前記ステージに隣接して設けられた受光面を有し、前記受光面に供給された前記媒体からの反射光に応じて筆記の対象とする前記媒体を識別する識別手段とを備えたことを特徴とする筆記入力装置。
【請求項２】
前記媒体上の所定の位置において筆記がなされたとき、前記所定の位置に対応する方法で前記データを処理するための制御信号を生成する制御信号生成手段を備えたことを特徴とする請求項１に記載の筆記入力装置。
【請求項３】
前記データに前記制御信号を付加する信号付加手段と、
前記信号付加手段によって生成された信号を外部に送信する送信手段とをさらに備えた請求項２に記載の筆記入力装置。
【請求項４】
前記媒体上の所定の位置において筆記がなされたとき、前記データを電子メールとして外部に送信するメール送信手段を備えたことを特徴とする請求項１に記載の筆記入力装置。
【発明の詳細な説明】
【技術分野】
【０００１】
本発明は情報処理装置に関し、さらに詳しくは、媒体上で筆記した文字に対応したデータを生成する筆記入力装置に関するものである。
【背景技術】
【０００２】
図１は、従来の情報処理装置の構成を示す図である。図１（ａ）及び図１（ｂ）に示されるように、この情報処理装置は情報記憶装置（デジタイザボード）１と、入力フィルム３とを含み、情報記憶装置（デジタイザボード）１内には全面消去・書き込み部（ヒートパネル）５が形成される。ここで、入力フィルム３とヒートパネル５との間には、図１（ｂ）に示されるように、書き込み済み媒体７や未書き込み媒体９などの情報記録／表示媒体（デジタルペーパー）１１が装入される。
【０００３】
上記のような情報処理装置は、電磁ペン１３により手書き入力された情報を加筆データとしてデジタイザボード１に記憶し、必要なときに該情報をデジタルペーパー１１に表示することが可能なものである。また、該情報処理装置においては、表示した情報の消去や修正も自在に行うことができる。従って、以上のような情報処理装置によれば、紙を消費することなく書類の作成や蓄積を実現することができる。
【０００４】
より詳述すれば上記情報処理装置は、文字やイメージなどの各種情報を見られる状態で保存する手段として従来から利用されている紙と、ディスプレイとメモリを有するコンピュータとの一長一短を考慮して、それぞれのよい点を取ったものを提案するものである。つまり、このような情報処理装置によれば、コンピュータで作成された、あるいは、手書き入力された情報を媒体上において何度も書き換え可能で（つまり紙のように消費しない）、該情報はメモリへ蓄積されたり、外部へ出力されたり、外部から入力されたりというように、コンピュータが処理することが可能なデジタル情報としての処理が実現される。
【０００５】
一方、従来においては、上記のデジタイザボード１上に装着された媒体（紙）を識別する情報処理装置も考えられている。図２は、このような機能を有する装置を示すものであり、図２（ａ）に示されるように、装着された媒体（紙）１０を保持するクリップ１５を備え、図２（ｂ）に示されるように、該クリップ１５内にバーコードセンサ１７が内蔵される。そして、媒体（紙）１０の上方に予め印字されたバーコードが、バーコードセンサ１７により読み取られることにより、装着された媒体（紙）１０が識別される。
【０００６】
なおここで、上記のような情報処理装置は、利用の便を図るため、携帯しやすい形状であること、すなわちセンサなどが部分的に突出又は表出していないことや、消費電力が小さいことが望まれる。また、上記情報処理装置の使用に際しては、ある程度、入力用のコマンドや、制御を指示するインターフェイスが用意されると便利ではあるが、昨今ユーザが使用しているアプリケーションは多種多様であるため、そのようなコマンド毎に異なる種類のボタンを用意すれば装置規模が増大してしまう。
【０００７】
そしてさらには、現在頻繁に使われているコミュニケーション手段として電子メールがあるが、人によっては一日に受信するメールの数が数十件に及ぶことは珍しくない。そこで、一件一件をパソコンで確認しているよりは、とりあえずプリンタで紙に出力しておき、いつでもどこでも読めるようにしておき、時間を効率よく使いたいというニーズがでてきている。その際、紙上でチェックしてから再度パソコンで入力し、メールを返信するという手間が生じてくるので、紙上でチェックした結果をそのまま返信したいという要望もある。
【特許文献１】特開平０７−２４４６５７号公報
【特許文献２】特開平０６−０６００３５号公報
【特許文献３】特開平０７−２００１３４号公報
【発明の開示】
【発明が解決しようとする課題】
【０００８】
本発明は上述の点に鑑みてなされたものであり、携帯性及び機能性が高められ消費電力が低減された筆記入力装置を提供することを目的とする。
【課題を解決するための手段】
【０００９】
本発明の目的は、積重した媒体に筆記された文字に対応してデータを生成する筆記入力装置であって、前記媒体が載置され少なくとも二点の高さが異なるステージと、前記ステージの最下点を通る第一の水平面及び前記ステージの最上点を通る第二の水平面に交わる面内において前記第一及び第二の水平面に挟まれた部分からなり、かつ、前記ステージに隣接して設けられた受光面を有し、前記受光面に供給された前記媒体からの反射光に応じて筆記の対象とする前記媒体を識別する識別手段とを備えたことを特徴とする筆記入力装置を提供することにより達成される。このような手段によれば、筆記入力装置の外形において突出した部分をなくすことができる。
【００１０】
また、本発明の参考発明の目的は、積重した複数の媒体のうち任意に選択された媒体上に筆記された文字に対応してデータを生成する筆記入力装置であって、媒体からの反射光に応じて筆記の対象とする媒体を識別すると共に、筆記しない場合には筆記入力装置に格納できる識別手段を備えたことを特徴とする筆記入力装置を提供することにより達成される。このような手段によれば、筆記しない場合においては筆記入力装置の外形上突出した部分をなくすことができる。
【００１１】
また、本発明の目的は、前記媒体上の所定の位置において筆記がなされたとき、前記所定の位置に対応する方法で前記データを処理するための制御信号を生成する制御信号生成手段をさらに備えたことを特徴とする筆記入力装置を提供することにより達成される。このような手段によれば、筆記された文字に対応して生成されたデータの処理が容易に実行される。ここで、上記の筆記入力装置は、データに制御信号を付加する信号付加手段と、信号付加手段によって生成された信号を外部に送信する送信手段とをさらに備えたものとすることができる。
【００１２】
また、本発明の目的は、前記媒体上の所定の位置において筆記がなされたとき、前記データを電子メールとして外部に送信するメール送信手段をさらに備えたことを特徴とする筆記入力装置を提供することにより達成される。このような手段によれば、筆記した文字を電子メールとして外部へ容易に送信することができる。
【発明の効果】
【００１３】
本発明の筆記入力装置によれば、筆記入力装置の外形において突出した部分をなくすことができるため、携帯性を良くすると共に、接触による損傷の可能性を小さくすることができる。
【発明を実施するための最良の形態】
【００１４】
以下において、本発明の実施の形態を図面を参照して詳しく説明する。なお、図中同一符号は同一又は相当部分を示す。
【００１５】
［実施の形態１］図３は本発明の実施の形態１に係る筆記入力装置を示す図であり、図５は図３に示された筆記入力装置２８の構成を示すブロック図である。なお、図４には該筆記入力装置２８に載置される普通紙８のレイアウトが示される。
【００１６】
図３及び図５に示されるように、この筆記入力装置２８は、手書き入力部（電磁誘導式デジタイザ）２０と、メモリ２１と、通信インタフェース（通信Ｉ／Ｆ）２３と、ＣＰＵ２５と、液晶ディスプレイ（ＬＣＤ）２７と、クリップ３１と、コードリーダ３３と、本体電源部３７と、筆記された文字を検出する検出回路３９と、格納部２６とを備える。
【００１７】
ここで、コードリーダ３３としては１次元コードに対応するものとして、近赤外発光ダイオード（ＬＥＤ）によりバーコードを一括して照射し、ラインＣＣＤによって該バーコードからの反射光を検出するスキャン型があり、またレーザー走査型のラインセンサから構成されるものもある。一方、図４に示されるように、筆記入力装置２８に載置される普通紙８に２次元コード４８が印字される場合には、コードリーダ３３はＣＣＤやＣＭＯＳなどからなるエリアセンサ１６を内蔵する。
【００１８】
また、手書き入力部２０に内蔵されるＣＰＵ２５には、筆記した文字を検出する検出回路３９と、メモリ２１と、通信インタフェース２３と、液晶ディスプレイ（ＬＣＤ）２７と、コードリーダ３３と、本体電源部３７とが接続される。なお、通信インタフェース２３にはパーソナルコンピュータ（ＰＣ）２４が接続される。
【００１９】
そして、以上のような構成を有する筆記入力装置２８には、図３（ａ）に示されるように、手書き入力部２０のステージ２２上に複数枚の普通紙８が載置される。そして、この普通紙８に文字や線等が筆記されると、その筆記による加筆情報４７が電磁誘導方式デジタイザの検出回路３９により検出され、対応する加筆データが生成される。そして、該加筆データがＣＰＵ２５によりメモリ２１に格納される。ここで、筆記する際に用いられる電磁ペン１３は筆記中に電磁場を放射するアクティブなペンであり、普通紙８上で筆記すると検出回路３９により筆記位置の座標が検出される。なお、この方式では、普通紙８の厚さが５ｍｍ程度までならば電磁ペン１３から放射された電磁場を検出回路３９で検出可能なため、何枚かの普通紙８を重ねて手書き入力部２０のステージ２２上に置いたうえで筆記することができる。
【００２０】
またメモリ２１は、例えば大容量のフラッシュメモリやハードディスクからなり、コードリーダ３３で読み取られた文書の識別情報としてのＩＤ情報と、加筆データとが書き換え可能な状態で記憶される。一方、通信インタフェース２３はRS232Cポートやイーサネットポート、PCMCIAカードポートなどからなる。また、図３（ａ）に示されるように、普通紙８にはあるパソコン内に格納されたある文書データに対応する文字等が、図示されていないプリンタ等によって予め印刷されており、さらに該文字等がどの文書データの一部であるかを示す識別記号として２次元コード４８が下部に印字されている。ここで、この２次元コード４８は、例えば文書名やページ番号、パソコン名、パソコンのＩＰアドレス等を示すものであり、\\PC名（PCのIPアドレス）\ ドライブ名 \フォルダ名\ 文書名\ ページ、のようなディレクトリ構造により、その文書データ（最小１ページ単位）が格納されている場所を一義的に定める識別情報（ＩＤ情報）である。
【００２１】
なお、２次元コード４８に直接上記情報をエンコードできない場合は、ある数値情報をエンコードしておき、別途識別情報との対応が分かるようなテーブルをメモリ２１に記憶させておく。そしてこのような場合には、該テーブルを参照するようにプログラムされる。一方、２次元コード４８に直接上記情報をエンコードできる場合には、ＱＲコードやデータマトリックスコードなどを用いても良い。なお、この場合には検出用のセンサは上記のようにエリアタイプになる。また、本装置は持ち運んで使用することが多いので、本体電源としては筆記入力装置２８内に収容された再充電可能な２次電池が使用されるのが好ましい。
【００２２】
また、上記コードリーダ３３は、図３（ａ）及び図３（ｂ）に示されるように、筆記入力装置２８に載置された普通紙８の下端を保持するクリップの機能も有し、該普通紙８を挟持した時点で本体電源部３７に電源投入信号を供給する。これにより、筆記対象とする普通紙８がステージ２２上に載置され、上記電源投入信号が供給されたときに本体電源部３７は筆記入力装置２８に電源を投入すると共にコードリーダ３３を稼働するので、消費電力が低減される。
【００２３】
また、コードリーダ３３は、上記のように普通紙８の下部に印字された２次元コード４８を読み取るように、ステージ２２上においてクリップ３１と対向する下端に配置される。そしてこのような配置によれば、複数の普通紙８がステージ２２に載置された場合において、該普通紙８のページをめくった状態で筆記がなされるときにおいても、めくることにより開いたページに印字された２次元コード４８が読み取られることにより、筆記対象とするページが特定される。
【００２４】
ところで、上記コードリーダ３３は、載置される普通紙８の上方または斜め方向から印字されたコードを検出するものであるため、装置使用時にはコードリーダ３３がステージ２２上の平面から突出した状態となる。そして、このような突出部が存在すると、ユーザが本装置を持ち運ぶ場合に非常に邪魔になることから、図３（ｃ）に示されるように、筆記がなされない場合にはコードリーダ３３は格納部２６に格納される。従って、図３（ａ）及び図３（ｂ）に示されるように、筆記がなされる場合にだけコードリーダ３３が格納部２６から取り出される。
【００２５】
なお、図３（ｂ）及び図３（ｃ）に示される情報処理部８３には、ＣＰＵ２５やメモリ２１、通信インタフェース２３などが内蔵される。以上より、本実施の形態１に係る筆記入力装置２８によれば、筆記がなされない場合の突出部がなくされるため、ユーザにとって本装置が持ち運び易くなると共に、コードリーダ３３が該普通紙８を挟持した時点で電源が投入されるため、消費電力を低減することができる。
【００２６】
［実施の形態２］
図６は、本発明の実施の形態２に係る筆記入力装置の構成を示す図であり、それぞれ図６（ａ）は右利きの人が縦書きする場合の使用状態、図６（ｂ）は左利きの人が縦書きする場合の使用状態、図６（ｃ）は右利きの人が横書きする場合の使用状態を示す。
【００２７】
図６に示されるように、本実施の形態２に係る筆記入力装置は、上記実施の形態１に係る筆記入力装置と同様な構成を有するが、載置される普通紙８を保持するクリップ３１の上方にＬＣＤ２７が配置されると共に、格納部３８が格納部２６に並設される点で相違するものである。すなわち、本実施の形態に係るコードリーダ３３は、図６（ａ）及び図６（ｂ）に示されるように付け替えが可能とされ、コードリーダ３３がいずれの位置に配設された場合にも一方の格納部２６，３８へ格納できるように構成されている。
【００２８】
より具体的には、例えば図６（ａ）に示されるように、右利きの人が電磁ペン１３を持って加筆する場合を考えると、筆記入力装置２９のステージ２２上において右下にコードリーダ３３が配設されると、該右利きの人が筆記する際に障害となる場合があり、ユーザにとって使い勝手が悪いものとなってしまう。従って、本実施の形態に係る筆記入力装置においては、コードリーダ３３がユーザの利き手、すなわち加筆する際に電磁ペン１３を持つ方の手と反対側に取りつけ可能とされる。
【００２９】
そして図６（ａ）に示されるように、右利きのユーザはコードリーダ３３をステージ２２の左下に配設し、図６（ｂ）に示されるように、左利きのユーザはコードリーダ３３をステージ２２の右下に配設することができる。ここで、図６（ａ）に示されるように、コードリーダ３３はステージ２２の左下に配設された場合には、筆記しない状態において格納部２６に格納され、図６（ｂ）に示されるように、ステージ２２の右下に配設された場合には、筆記しない状態において格納部３８にそれぞれ格納される。
【００３０】
なお、筆記対象とする普通紙８は、右利きの人が使用する図６（ａ）に示された筆記入力装置２９用として、左下にコードが印字されたものが採用され、左利きの人が使用する図６（ｂ）に示された筆記入力装置３０用として、右下にコードが印字されたものが採用される。従って、該コードを印字する印刷装置においては、印字位置を普通紙の右下にするか左下にするかを選択できるものであることが望まれるが、右下及び左下の双方に印字するものであっても良い。
【００３１】
また、図６（ｃ）に示されるように、本実施の形態に係る筆記入力装置３０においては横書きも可能であり、例えば右利きの人が横書きをする場合には、普通紙８に向かって右上方にコードリーダ３３が選択的に配設される。以上のような構成を有する本実施の形態２に係る筆記入力装置によれば、上記実施の形態１に係る筆記入力装置と同様な効果を奏すると共に、ユーザの利き手によらずより容易な筆記作業を実現することができる。
［実施の形態３］
図７は、本発明の実施の形態３に係る筆記入力装置の構成を示す図であり、それぞれ図７（ａ）は斜視図、図７（ｂ）は横から見た断面図を示す。図７に示されるように、本実施の形態に係る筆記入力装置４０は、上記実施の形態１に係る筆記入力装置２８と同様な構成を有するが、コードリーダ３３の代わりにバーコードセンサ１７が内蔵されたコードリーダ内蔵クリップ９０が、普通紙８の上部を保持するように配設される点で相違するものである。なお図８には、図７に示された本実施の形態に係る筆記入力装置と共に使用され、上部にバーコード４５が印字された普通紙８のレイアウトが示される。
【００３２】
本実施の形態に係る筆記入力装置４０においては、筆記対象とする普通紙８は１枚ずつステージ２２に載置されると共に、筆記作業がなされない場合にはコードリーダ内蔵クリップ９０が格納部２６に格納される。また、図７（ｂ）に示されるように、格納部２６はＣＰＵ２５やメモリ２１や通信インタフェース２３などが内蔵される情報処理部８３の上に配設される。なお、筆記作業がなされる場合には、コードリーダ内蔵クリップ９０はステージ２２の上部に設けられた案内溝に嵌合される。
【００３３】
以下において、上記のような構成を有する筆記入力装置の動作について、図９のフローチャートを参照しつつ説明する。まず、ステップＳ１では、パソコン（ＰＣ）２４内に格納された文書ＩＤにリンクしたＩＤ情報がコードにより印刷されている１枚の普通紙８が手書き入力部２０のステージ２２上に載置される。そして、ステップＳ２においてコードリーダ内蔵クリップ９０が格納部２６に格納されているか否か判断され、格納されている場合にはステップＳ３０に進む。そして、ＣＰＵ２５により本体電源部３７の電源がオフされてステップＳ２に戻る。一方、ステップＳ２においてコードリーダ内蔵クリップ９０が格納部２６に格納されていないと判断された場合には、ステップＳ３に進みＣＰＵ２５によって本体電源部３７の電源がオンされる。
【００３４】
すると、ステップＳ４で、コードリーダ内蔵クリップ９０に内蔵されたバーコードセンサ１７が普通紙８上に印字されているバーコード４５を検出し（ＩＤ検出）、ステップＳ５のＩＤ処理により普通紙８のバーコードに基づくＩＤデータが取得される。なお、ＩＤ検出において検出した識別コードに応じて、これから書き込もうとしている文書名又はその出所をユーザにわかるようにＬＣＤ２７に表示する。これにより、ユーザはこの表示を見るだけで、これから書き込もうとしている文書を読まずに何の文書であるか認識できる。
【００３５】
また、ステップＳ２０において、ユーザが電磁ペン１３で筆記（加筆）した場合にはステップＳ２１へ進む。そして、ステップＳ２１においては、手書き入力部２０の検出回路３９が電磁ペン１３の位置情報を検出して、その座標データを処理する（加筆データ処理）。そしてステップＳ６において、上記座標データは、上記ＩＤ検出の結果得られたＩＤデータにＣＰＵ２５によりリンクされ（関連付け処理）、ステップＳ７において、ＩＤデータにリンクされた該座標データがメモリ２１へ格納される（メモリ処理）。
【００３６】
次に、ステップＳ８において、加筆作業を続ける場合にはステップＳ４に戻る。一方、ステップＳ８において加筆作業を続けない場合にはステップＳ９へ進む。ここで上記ＩＤデータにリンクされた該座標データをパソコン（ＰＣ）２４に転送しない場合には動作を終了する。一方、ステップＳ９でパソコンに転送する場合には、ステップＳ１０において加筆前の文書が格納されていたパソコンに接続して、加筆前後においてＩＤが一致する文書を探す。そして、加筆前後においてＩＤが一致する文書が見出せた場合には、ステップＳ１１へ進み、通信インタフェース２３から該パソコン内にある加筆前の文書に加筆データを上書きし、最新のデータファイルに更新して動作を終了する。なお、ステップＳ１０においてＩＤが一致する文書が見出せない場合には、その旨をＬＣＤ２７に表示すると共にステップＳ４０へ進み、加筆後の文書を新規文書として保存して（新規文書登録処理）、動作を終了する。
【００３７】
以上より、本実施の形態に係る筆記入力装置によっても、上記実施の形態１に係る筆記入力装置と同様に消費電力を低減でき、かつ、携帯性を高めることができる。
［実施の形態４］
図１０は、本発明の実施の形態４に係る筆記入力装置の構成を示す図であり、それぞれ図１０（ａ）は斜視図、図１０（ｂ）は横から見た断面図を示す。
【００３８】
図１０に示されるように、本実施の形態に係る筆記入力装置４２は、図７に示された実施の形態３に係る筆記入力装置４０と同様な構成を有するが、図１０（ｂ）に示されるように、格納部２６が情報処理部８３の後方に配設される点で相違するものである。なお、本実施の形態に係る筆記入力装置４２においても、上記実施の形態３に係る筆記入力装置４０と同様に、載置された普通紙８に筆記される場合には、コードリーダ内蔵クリップ９０が案内溝４１に嵌合される。
【００３９】
また、上記のような構成を有する筆記入力装置４２は、上記実施の形態３に係る筆記入力装置４０と同様に動作する。以上より、本実施の形態に係る筆記入力装置４２によれば、上記実施の形態３に係る筆記入力装置４０と同様な効果を奏すると共に、格納部２６が情報処理部８３の後方に配設されるため、筆記入力装置４２の高さ（厚さ）を小さく（薄く）することができ、筆記入力装置をよりコンパクトにすることができる。
【００４０】
［実施の形態５］
本発明の実施の形態５に係る筆記入力装置の構成を示す図であり、図１１（ａ）は１ページ目に筆記される状態、図１１（ｂ）は本実施の形態に係る第一実施例を、図１１（ｃ）は本実施の形態に係る第二の実施例をそれぞれ示す。
【００４１】
図１１に示されるように、本実施の形態に係る筆記入力装置８２は、上記実施の形態に係る筆記入力装置と同様な構成を有するが、図１１に示されるように、ステージ２２は水平面８４ではなく斜面を有すると共に、筆記入力装置８２の中であって、かつ、載置された普通紙８の下辺近傍に印字されたバーコード４５が読み取り可能な位置にコードリーダ３３が内蔵される点で相違するものである。なお筆記入力装置８２には、ＣＰＵ２５やメモリ２１や通信インタフェース２３などを含む情報処理部８３が内蔵される。
【００４２】
より具体的には、ステージ２２に載置される普通紙８の上側は保持部８１により緊締されるが、該上側より下側が低くなるようにステージ２２が設けられる。ここで第一の実施例として、図１１（ｂ）に示されるように、保持部８１から普通紙８の下辺まで傾きが一定となるようにステージ２２を設けることができる。また第二の実施例として、図１１（ｃ）に示されるように、載置される普通紙８の下辺近傍でだけ水平面８４より低くなるようにステージ２２を設けることができる。そして、上記のような構成とすることにより、筆記入力装置本体に内蔵されたコードリーダ３３で、載置された普通紙８の下辺近傍に印字されたバーコード４５が斜め方向から読み取られ、文書の識別コードが取得される。
【００４３】
また一般的には、複数の束ねた普通紙をステージ２２上に載置した場合においてこれらの普通紙をめくるとき、ユーザの個性によっていろいろな状況が考えられるが、例えば、１枚目を途中までめくったままで、次のページに書き込むという状況も考えられる。ユーザがよく行う作業形態で招かれるこのような状況では、コードリーダ３３が保持部８１の側にあると、ページをめくっても開かれたページのＩＤ情報を得ることができず、ページめくりによる各ページのＩＤ検出が不可能になる。しかしながら、本実施の形態に係る筆記入力装置８２によれば、コードリーダ３３が普通紙の下辺近傍に印字されたバーコード４５を読み取るため、１枚目を途中までめくったまま２ページ目に筆記するような場合にも、２ページ目のＩＤ検出が可能となり、動作の信頼性を高めることができる。
【００４４】
また、図１１に示されるように、コードリーダ３３が筆記入力装置８２に内蔵されることにより、筆記入力装置８２の外形上突出した部分を無くすことができるため、ユーザによる携帯や筆記作業における利便性を向上させることができる。なお、上記コードリーダ３３の受光面は、普通紙８の周辺であって、保持部８１により緊締される辺と異なる辺の側面に配置されても良く、例えばステージ２２の左右や下側のいずれに配置されても良い。
【００４５】
［実施の形態６］
図１２は、本発明の実施の形態６に係る筆記入力装置の構成を示す図であり、図１２（ａ）は本装置が使用されるときの状態、図１２（ｂ）は本装置が使用されないときの状態をそれぞれ示す。
【００４６】
図１２（ａ）に示されるように、本実施の形態に係る筆記入力装置８６は、図４に示された筆記入力装置８６と同様な構成を有するが、ミラー４９とレンズ５１、光源５３及び受光素子５６はミラー保持筐体８７に含まれ、本装置を使用しない場合には、図１２（ｂ）に示されるように、このミラー保持筐体８７が筆記入力装置８６内に格納される。
【００４７】
一般的に、図４に示されるような２次元コード４８からなる識別番号または識別記号を検出するコードリーダにおいては、電気回路系や信号処理回路系以外では、ＣＣＤやＣＭＯＳセンサと、コードをセンサ上に結像させるレンズ５１などの光学系から構成されている。そして、この場合にミラー保持筐体（ユニット）８７としては一体化されているので、文書上に印刷されている２次元コード４８を検出するためには、少なくとも２次元コード４８の斜め上方に該ミラー保持筐体（ユニット）８７を配置する必要がある。
【００４８】
しかしながら、該筆記入力装置を使用する場合に、ミラー保持筐体（ユニット）８７全体を筆記入力装置の上面に表出させる必要はない。すなわち、少なくとも２次元コード４８を検出するために光源５３から該２次元コード４８へ投光され、また２次元コード４８からの反射光が受光素子５６へ入射されるように構成されれば足りる。従って、図１２に示されるように、光源５３から投光され、または、受光素子５６に入射される光の進路を曲げるためにミラー４９が備えられ、本装置の使用時には図１２（ａ）に示されるように、該ミラー４９だけが筆記入力装置の上面に表出される。なお、このミラー保持筐体（ユニット）８７は普通紙８の下辺のみならず、普通紙８が保持されている辺以外のいずれの辺に対向して設けても良い。
【００４９】
以上のような本実施の形態に係る筆記入力装置８６によれば、ユーザが筆記作業を行う時に、装置上面における突出部を小さくすることができるため、筆記作業がし易くなり使い勝手を向上させることができる。
【００５０】
［実施の形態７］
図１３は、本発明の実施の形態７に係る筆記入力装置と共に使用される普通紙のレイアウトを示す図である。図１３に示されるように、本実施の形態に係る普通紙８には、筆記入力領域８９には文字等からなる文書が印刷され、かつ、指示入力領域８８には上記文書作成時に使用されたアプリケーションソフトウェア上における操作を指示するための指示ボタンが印刷される。なお、普通紙８の左上にはバーコード４５が印刷される。
【００５１】
ここで、例えば図１３に示されるように、上記指示入力領域８８は普通紙８の下部に配置され、この領域内にデータ送信用の送信ボタン９４と動作取り消しボタン９５及び文書削除ボタン９６が印刷される。なお、このような指示ボタンは、文書作成に使用されたアプリケーションに応じて印刷されるが、一つのアプリケーションにおいても、特に高い頻度で使用される機能に対応した指示ボタンが印刷されることが望ましい。
【００５２】
図１４は、本発明の実施の形態７に係る筆記入力装置の構成及び動作を説明する図である。図１４に示されるように、本実施の形態に係る筆記入力装置９２は、上記実施の形態に係る筆記入力装置と同様な構成を有するが、ステージ２２の左上にはコードリーダ内蔵クリップ９２が備えられ、かつ、ステージ２２には載置される普通紙８に印刷された各指示ボタンに対応するスイッチを含む検出回路３９が内蔵される。
【００５３】
以下において、上記のような構成を有する筆記入力装置の動作を図１５のフローチャートを参照しつつ説明する。まず、ステップＳ１では、パソコン（ＰＣ）内に格納されている文書（ドキュメント）のＩＤ情報とリンクした識別記号と、上記指示ボタンが印刷されている１枚以上の媒体（普通紙８）が手書き入力部２０のステージ２２上に載置される。そして、ステップＳ２において、クリップに内蔵されたコードリーダが１ページ目の普通紙８上に印字されている識別記号を検出し（ＩＤ検出）、検出した識別記号に応じて、これから書き込もうとしている文書名又はその出所をユーザにわかるようにＬＣＤ２７に表示する。これにより、ユーザはこの表示を見るだけで、これから書き込もうとしている文書を読まずに何の文書であるか認識できる。
【００５４】
そして、ステップＳ３のＩＤ処理により普通紙８に印字された識別記号に基づくＩＤデータが取得される。次に、ステップＳ４において、この１ページ目にユーザが電磁ペン１３で筆記（加筆）すると、ステップＳ５において、手書き入力部２０の検出回路３９が電磁ペン１３の位置情報を検出して、その座標データを処理する（加筆データ処理）。なお、ステップＳ４において、１ページ目にユーザが加筆しない場合には、先のステップへ進まない。
【００５５】
次にステップＳ６においては、指示入力があるか否か判断され指示入力がある場合にはステップＳ７に進む。ここで、指示入力について説明する。指示入力とは、所定の記号を筆記した後に所定のボタンを電磁ペン１３で指示してステージ２２に内蔵された検出回路３９をオンすることにより、加筆処理された上記のデータに対して所定の処理を施すための入力をいう。そして例えば、「１２３」という文字を削除したい場合には、図１４（ａ）及び図１４（ｂ）に示されるように、削除したい文字範囲「１２３」が四角形の枠で囲まれる。このとき、本装置では四角形の枠は削除する範囲を指定する記号であると認識される。
【００５６】
そして、その後に図１４（ｃ）に示されるように、ユーザによって文書削除ボタン９６が電磁ペン１３でタッチされると、上記の四角形の枠で囲まれた文字に対応した座標情報を削除するための制御コードがステージ２２に内蔵された検出回路３９で生成され、該制御コードはＣＰＵ２５により上記加筆処理されたデータに付加される（指示入力処理）。なお、上記制御コードはパソコン２４上で動作するアプリケーションにおいて読み取られ、該制御コードに応じたデータ処理が実行される。ここで、間違えた操作（指示入力）がなされないようにするために、指示ボタンに対応する検出回路３９は、ユーザが視認できる範囲でできるだけ小さくされる。なお、上記パソコン２４には、本実施の形態に係る筆記入力装置と連携して四角形の枠に囲まれた座標データを削除する処理が可能なソフトウェアが内蔵される。
【００５７】
一方、ステップＳ６で指示入力がない場合、すなわち加筆を続行する場合には、ステップＳ８へ進む。そして、ステップＳ８においては、該座標データが、上記ＩＤ検出の結果得られたＩＤデータにＣＰＵ２５によってリンクされ（関連付け処理）、ステップＳ９において、メモリ２１へ格納される（メモリ処理）。次に、ステップＳ１０でＩＤデータにリンクされ制御コードが付加された座標データ（加筆データ）をパソコン（ＰＣ）２４へ転送するか否か判断され、転送しない場合にはステップＳ２へ戻る。一方、ステップＳ１０で加筆データをパソコン２４へ転送すると判断された場合には、ステップＳ１１において、加筆データがパソコン２４へ転送される。ここで、加筆前の文書が格納されていたパソコン２４に本装置が接続され、通信インタフェースから該パソコン２４内にある加筆前の文書に加筆データが上書きされ、かつ、上記制御コードの実行による処理がなされて最新のデータファイルに更新される。
【００５８】
以下に、上記の動作をより具体的に説明する。図１４に示される普通紙８に印刷された文書のアドレスがc:\MyDocument\Patent.docである場合、まずクリップ９０に内蔵されたコードリーダによりこのＩＤ情報が検出される（ＩＤ検出処理）。その後、実際に削除したい文字が、図１４に示される「１２３」であるとしたとき、これらの文字の周りが四角形の枠で囲まれる（加筆データ処理）。そして、その四角形の枠の座標情報が例えば、図１４（ｂ）に示されるように（２，１０）、（３，１０）、（４，１０）、（５，１０）…、（２，１１）、（２，１０）とすれば、検出する識別情報と筆記情報からなるデータは、例えばc:\MyDocument\Patent.doc\2,10,3,10,4,10,5,10…2,11,2,10 となる。
【００５９】
ここで、図１４（ｃ）に示されるように、文書削除ボタン９が電磁ペン１３でタッチされると（指示入力）、上記のように削除を指示する制御コードdeleteが上記データに付加されて、c:\MyDocument\Patent.doc\2,10,3,10,4,10,5,10…2,11,2,10\deleteというデータが作成される（関連付け処理）。そして、このようなデータがコンピュータへ送信されると、図１４（ｄ）に示されるように、原文書から「１２３」の文字が削除されて原文書が書き換えられ、又は「１２３」の文字が削除された文書９３が原文書の第二バージョンとして保存される。なお、上記のように第二バージョンを保存することは、原文書をそのまま残したい場合に有用である。
【００６０】
また、上記においては原文書を削除する場合を例として記したが、新たに加筆した文字を削除することも同様にして行うことができる。また、削除以外の動作についても、上記削除が実行される場合と同様に動作する。以上より、本実施の形態に係る筆記入力装置によれば、上記実施の形態に係る筆記入力装置と同様な効果を奏すると共に、電磁ペン１３で指示ボタンに触れるだけで文字の削除等のデータ処理を実行できるため、筆記作業における文書の編集効率をさらに向上させることができる。
【００６１】
［実施の形態８］
図１６は、本発明の実施の形態８に係る筆記入力装置の構成及び動作を説明する図である。図１６に示されるように、本実施の形態に係る筆記入力装置９８は、図１４に示された上記実施の形態７に係る筆記入力装置と同様な構成を有するが、コミュニケーションツールとして最も一般的になってきている電子メールを送信するための通信インタフェース２３を備える点で相違する。すなわち、本装置内には電子メールの送信を実行するためのメールソフトがインストールされており、画面で確認することなしに該メールソフトによるデータ処理が実行される。
【００６２】
ここでユーザは、パソコン２４でまずメールの一覧を見て、必要なメールだけを普通紙８に印刷する。このとき、普通紙８の指示入力領域８８には各メールに対応する送信ボタン９４が印刷される。また、図１６（ａ）に示されるように、メールが印刷された普通紙８の左上には、該メールを送信した者が有するアドレスを示す２次元コード４８が印字される。
【００６３】
そして、上記のような普通紙８が筆記入力装置９８に載置されると、クリップ９０に内蔵されたコードリーダ３３は上記２次元コード４８を検出し、該２次元コード４８により特定されるメールの差出人を液晶ディスプレイ２７に表示する。これにより、ユーザは誰宛に返事を筆記するのかを認識することができ、また返信先のアドレスも知ることができる。
【００６４】
ここで、ユーザは印刷されたメールの内容を見ながら返事の内容を普通紙８に筆記することができる。そして、その返事を書き終わった後には、検出された返信先アドレスに該筆記した文字に対応するデータが関連付けられるように処理される。その後、図１６（ｂ）に示されるように、電磁ペン１３で送信ボタン９４が触れられると、図１６（ｃ）に示されるように、通信インタフェース２３は上記返信先アドレスに従って返信相手が有するパソコン２４へ返信のメール９７を送信する。なおこの場合、実際に加筆した文字だけが返信される。
【００６５】
また、返信相手が有するパソコン２４等といった外部装置との通信は、無線によるものが望ましく、使用される環境により異なるものの、上記メールの送信においてはモデムやＬＡＮカード等の通信インタフェース２３が使用される。なお、上記における全ての実施の形態に係る筆記入力装置においては、筆記した文字をデータ化するために、上記のような電磁誘導方式が採用されるが、本発明はこのような方式を採用する装置に限られるものではなく、例えば光学的手段により撮影された筆記具の軌跡に基づいてデータ化する方式や、筆記具から発せられる超音波などを検知することにより筆記された文字をデータ化する方式などにおいても適用できる。
【００６６】
上述の如く、筆記がなされない場合には筆記入力装置に内蔵されると共に、筆記がなされる場合には識別情報の読み取りが可能な位置に配置されて識別情報を読み取る情報読み取り手段を備えた筆記入力装置によれば、筆記がなされない場合に筆記入力装置の突出部をなくすことができるため、携帯性を高めることができる。
【００６７】
ここで、媒体を筆記入力装置に繋止する媒体繋止手段をさらに備え、情報読み取り手段は、媒体繋止手段によって筆記入力装置に繋止された媒体の中心を対称点として媒体繋止手段と点対称の位置近傍に配置されたものとすれば、ユーザの筆記作業の態様に依らず、筆記対象とする媒体の識別情報を容易に得ることができるため、装置の信頼性を高めることができる。
【００６８】
また、情報読み取り手段が識別情報の読み取りが可能な位置に配置されたとき、筆記入力装置の電源を投入する電源投入手段をさらに備えたものとすれば、電源投入時を最適化できるため、消費電力を低減することができる。また、識別情報を読み取ると共に、識別情報の読み取りが可能な複数の位置に付け替えられる情報読み取り手段を備える筆記入力装置によれば、ユーザの筆記態様に応じて装置レイアウトを最適化できるため、ユーザの利便性を高めることができる。ここで、上記情報読み取り手段を、筆記がなされない場合には筆記入力装置に内蔵されるものとすれば、さらに、筆記がなされない場合において装置の突出部をなくすことができるため、携帯性を高めることができる。
【００６９】
また、積重した複数の媒体が載置され少なくとも二点の高さが異なるステージと、ステージの最下点を通る第一の水平面及びステージの最上点を通る第二の水平面に交わる面内において第一及び第二の水平面に挟まれた部分からなり、かつ、ステージに隣接して設けられた受光面を有し、受光面に供給された媒体からの反射光に応じて筆記の対象とする媒体を識別する識別手段とを備えた筆記入力装置によれば、筆記入力装置の外形において突出した部分をなくすことができるため、携帯性を良くすると共に、接触による損傷の可能性を小さくすることができる。
【００７０】
また、媒体からの反射光に応じて筆記の対象とする媒体を識別すると共に、筆記しない場合には筆記入力装置に格納できる識別手段を備える筆記入力装置によれば、筆記しない場合において筆記入力装置の外形上突出した部分をなくすことができるため、携帯性を向上させることができる。また、選択された媒体上の所定の位置において筆記がなされたとき、所定の位置に対応する所定の方法でデータを処理するための制御信号を生成する制御信号生成手段を備えた筆記入力装置によれば、筆記された文字に対応して生成されたデータの処理が容易に実行されるため、使い勝手をより良くしユーザビリティを高めることができる。
【００７１】
また、選択された媒体上の所定の位置において筆記がなされたとき、データを電子メールとして外部に送信するメール送信手段を備えた筆記入力装置によれば、筆記した文字を電子メールとして外部へ容易に送信することができるため、電子メールによるより円滑なコミュニケーションを実現することができる。
【図面の簡単な説明】
【００７２】
【図１】従来の情報処理装置の構成を示す図である。
【図２】装着された媒体（紙）を識別し得る従来の情報処理装置の構成を示す図であり、それぞれ図２（ａ）は斜視図、図２（ｂ）は横から見た断面図を示す。
【図３】本発明の実施の形態１に係る筆記入力装置の構成を示す図であり、それぞれ図３（ａ）は斜視図、図３（ｂ），（ｃ）は横から見た断面図を示す。
【図４】図３に示された筆記入力装置と共に使用され２次元コードが印字された普通紙のレイアウトを示す図である。
【図５】図３に示された筆記入力装置の構成を示すブロック図である。
【図６】本発明の実施の形態２に係る筆記入力装置の構成を示す図であり、それぞれ図６（ａ）は右利きの人が縦書きする場合の使用状態、図６（ｂ）は左利きの人が縦書きする場合の使用状態、図６（ｃ）は右利きの人が横書きする場合の使用状態を示す。
【図７】本発明の実施の形態３に係る筆記入力装置の構成を示す図であり、それぞれ図７（ａ）は斜視図、図７（ｂ）は横から見た断面図を示す。
【図８】図７に示された筆記入力装置と共に使用されバーコードが印字された普通紙のレイアウトを示す図である。
【図９】図７に示された筆記入力装置の動作を示すフローチャートである。
【図１０】本発明の実施の形態４に係る筆記入力装置の構成を示す図であり、それぞれ図１０（ａ）は斜視図、図１０（ｂ）は横から見た断面図を示す。
【図１１】本発明の実施の形態５に係る筆記入力装置の構成を示す図であり、図１１（ａ）は１ページ目に筆記される状態、図１１（ｂ）は本実施の形態に係る第一実施例を、図１１（ｃ）は本実施の形態に係る第二の実施例をそれぞれ示す。
【図１２】本発明の実施の形態６に係る筆記入力装置の構成を示す図であり、図１２（ａ）は本装置が使用されるときの状態、図１２（ｂ）は本装置が使用されないときの状態をそれぞれ示す。
【図１３】本発明の実施の形態７に係る筆記入力装置と共に使用される普通紙のレイアウトを示す図である。
【図１４】本発明の実施の形態７に係る筆記入力装置の構成及び動作を説明する図である。
【図１５】本発明の実施の形態７に係る筆記入力装置の動作を示すフローチャートである。
【図１６】本発明の実施の形態８に係る筆記入力装置の構成及び動作を説明する図である。
【符号の説明】
【００７３】
１  情報記憶装置（デジタイザボード）
３  入力フィルム
５  全面消去・書き込み部（ヒートパネル）
７  書き込み済み媒体
８  普通紙
９  未書き込み媒体
１０  媒体（紙）
１１  情報記録／表示媒体（デジタルペーパー）
１３  電磁ペン
１５，３１  クリップ
１６  エリアセンサ
１７  バーコードセンサ
２０  手書き入力部（電磁誘導式デジタイザ）
２１  メモリ
２２  ステージ
２３  通信インタフェース
２４  パソコン（ＰＣ）
２５  ＣＰＵ
２６  格納部
２７  液晶ディスプレイ（ＬＣＤ）
２８，２９，３０，４０，４２，８２，８６，９２，９８  筆記入力装置
３３  コードリーダ
３７  本体電源部
３８  領域
３９  検出回路 
４１  案内溝
４５  識別記号（バーコード）
４７  加筆情報
４８  ２次元コード
４９  ラー
５１  レンズ
５３  光源
５６  受光素子
８１  保持部
８３  情報処理部
８７  ミラー保持筐体
８８  指示入力領域
８９  筆記入力領域
９０  コードリーダ内蔵クリップ
９３  文書
９４  送信ボタン
９５  動作取り消しボタン
９６  文書削除ボタン
９７  メール
【図１】
2007183987.tif 000003
【図２】
2007183987.tif 000004
【図３】
2007183987.tif 000005
【図４】
2007183987.tif 000006
【図５】
2007183987.tif 000007
【図６】
2007183987.tif 000008
【図７】
2007183987.tif 000009
【図８】
2007183987.tif 000010
【図９】
2007183987.tif 000011
【図１０】
2007183987.tif 000012
【図１１】
2007183987.tif 000013
【図１２】
2007183987.tif 000014
【図１３】
2007183987.tif 000015
【図１４】
2007183987.tif 000016
【図１５】
2007183987.tif 000017
【図１６】
2007183987.tif 000018